(57)【特許請求の範囲】
【請求項１】
多段変速機のクラッチを断続するクラッチアクチュエータと、
前記多段変速機のシフト段の切り替えを行うシフトアクチュエータと、
前記クラッチアクチュエータ及び前記シフトアクチュエータを制御する制御手段と、
クラッチレバーと、
前記クラッチレバーの操作量を電気信号に変換して前記制御手段に出力するレバー操作量検出手段と、
各々の付勢力が段階的に作用することによって前記クラッチレバーの操作反力の増加割合を段階的に変化させる複数のコイルバネと、
を備え、
前記制御手段は、前記クラッチレバーの操作量に基づいて前記クラッチのクラッチトルク容量を調整する動作指令値を決定して前記クラッチアクチュエータへ出力することにより、前記クラッチトルク容量を操作することが可能であり、
前記クラッチレバーの操作反力の増加割合は、前記クラッチレバーの操作量が小さい方から、順に、第１増加割合、第２増加割合へと段階的に切り換わり、
前記第１増加割合と前記第２増加割合とは共にゼロより大きく、且つ、前記第１増加割合より前記第２増加割合の方が大きく、
前記制御手段は、前記第２増加割合に切り換わった前記クラッチレバーの位置より操作量が大きい範囲でのみ、クラッチトルク容量を前記クラッチレバーの操作に応じて変化させる動作指令を前記クラッチアクチュエータへ出力する、
変速装置。
【請求項２】
前記複数のコイルバネの少なくとも１つは、前記クラッチレバーの操作量がゼロのときにも作用して、前記クラッチレバーにゼロより大きい操作反力を発生させる、
請求項１記載の変速装置。
【請求項３】
前記制御手段は、前記クラッチレバーの操作量に基づく前記クラッチトルク容量の操作を常時有効にさせる、
請求項１記載の変速装置。
【請求項４】
前記制御手段は、前記レバー操作量検出手段により検出される、前記クラッチレバーの操作範囲を示す信号レンジを学習する、
請求項１記載の変速装置。
【発明の詳細な説明】
【技術分野】
【０００１】
本発明は、車両に搭載される変速装置に関する。
【背景技術】
【０００２】
従来、車両の駆動系には各種の変速方式が採用されており、その一つとしては、運転者がクラッチレバーとチェンジペダル（シフトペダル）を用いて変速ギアを切り替えるマニュアルトランスミッション（Manual transmission：以下、「ＭＴ」という）方式がある。
【０００３】
また、自動車の速度やエンジンの回転数等に応じて、自動的にシフトアクチュエータが駆動され、変速ギアの切り替えが行われるオートマチックトランスミッション（Automatic Transmission：「ＡＴ」）方式が用いられる場合もある。
【０００４】
このＡＴ方式では、トルクコンバータと遊星歯車（プラネタリギヤ）を組み合わせ油圧制御によって自動的に変速を行うトルクコンバータ式ＡＴが最も多くの車両に搭載されている。トルクコンバータ式ＡＴでは、コンピュータ制御によってアクセルの踏み加減や車両速度等の様々な要素に基づいて変速のタイミングが詳細に設定されている。
【０００５】
また、ＡＴ方式では、クラッチの操作のみを自動化し、クラッチ及びギアボックス自体はＭＴ方式と同様の構造を有する手動選択の多段変速機を組み合わせたオートメーテッドマニュアルトランスミッション（Automated Manual Transmission：以下「ＡＭＴ」という）方式がある。
【０００６】
ＡＭＴ方式は、セミオートマトランスミッション方式とも呼ばれ、クラッチ操作のみ自動で運転者がスロットル及び変速ギアの選択をＭＴ方式そのままの操作で行う。つまり、運転者の指示によりシフトアクチュエータを駆動させ、変速ギアを切り替える。
【０００７】
現在、乗用車に搭載されるＡＭＴは、バイワイヤ（電子制御）によってスロットル開度やクラッチとギアボックスのアクチュエータを制御して、ギアの選択も自動的に行っている。さらに、自動車に搭載される変速装置として、２系統の動力伝達路を有するクラッチを持つオートマチックトランスミッションであるデュアルクラッチトランスミッション(Dual Clutch Automated Manual Transmission：ＤＣＴ)が知られている。
【０００８】
また、例えば、特許文献１のように、方式の異なる変速方式を選択できる車種も存在する。特許文献１では、変速方式をセミオートマチックトランスミッション方式とフルオートマチックトランスミッション方式から選択可能である。
【先行技術文献】
【特許文献】
【０００９】
【特許文献１】特許第４１５０４８１号公報
【発明の概要】
【発明が解決しようとする課題】
【００１０】
ＡＴ方式、ＡＭＴ方式或いはＤＣＴ方式では、ＭＴ方式と比較して、一般的にクラッチ操作を自動にして運転者のクラッチ操作を廃止することによって運転操作の簡易化が図られている。
【００１１】
近年、ＡＴ方式或いはＡＭＴ方式の変速装置の変速時において、１）クラッチを柔らかく繋ぐことで駆動力を復帰させたり、２）渋滞などにおいてギアを切り換えることなく駆動力を調整したり、３）急発進させたりしたいという要望がある。
【００１２】
すなわち、１）変速時における駆動力の復帰度合いの調整、２）ギア段の切り替えを伴わない駆動力の調整、及び３）発進時の駆動力の調整等を行うため、運転者がクラッチの断続あるいは半クラッチを加減操作したいという要望がある。
【００１３】
特に、自動二輪車では、旋回する際に変速装置を介して出力する駆動力を加減調整する必要がある。具体的には、小回りする際に、クラッチを切ることによって車両を寝かすことができ、この動作を用いて好適な旋回を行いたいという要望がある。また、発進時においてウイリーする場合に、駆動力を調整して前輪を下げるためにクラッチ操作を行いたい要求があった。
【００１４】
本発明はかかる点に鑑みてなされたものであり、ＡＴ方式、ＡＭＴ方式或いはＤＣＴ方式等、クラッチの操作が自動制御される変速装置において、運転者がクラッチをマニュアル操作して駆動力を調整でき、ドライバビリティの向上を図ることができる変速装置を提供することを目的とする。
【課題を解決するための手段】
【００１５】
本発明の変速装置は、多段変速機のクラッチを断続するクラッチアクチュエータと、前記多段変速機のシフト段の切り替えを行うシフトアクチュエータと、前記クラッチアクチュエータ及び前記シフトアクチュエータを制御する制御手段と、クラッチレバーと、前記クラッチレバーの操作量を電気信号に変換して前記制御手段に出力するレバー操作量検出手段と、各々の付勢力が段階的に作用することによって前記クラッチレバーの操作反力の増加割合を段階的に変化させる複数のコイルバネと、を備え、前記制御手段は、前記クラッチレバーの操作量に基づいて前記クラッチのクラッチトルク容量を調整する動作指令値を決定して前記クラッチアクチュエータへ出力することにより、前記クラッチトルク容量を操作することが可能であり、前記クラッチレバーの操作反力の増加割合は、前記クラッチレバーの操作量が小さい方から、順に、第１増加割合、第２増加割合へと段階的に切り換わり、前記第１増加割合と前記第２増加割合とは共にゼロより大きく、且つ、前記第１増加割合より前記第２増加割合の方が大きく、前記制御手段は、前記第２増加割合に切り換わった前記クラッチレバーの位置より操作量が大きい範囲でのみ、クラッチトルク容量を前記クラッチレバーの操作に応じて変化させる動作指令を前記クラッチアクチュエータへ出力する、構成を採る。
【発明の効果】
【００１６】
本発明によれば、ＡＴ方式或いはＡＭＴ方式等、クラッチ操作が自動制御される変速装置において、運転者がクラッチをマニュアル操作して駆動力を調整でき、ドライバビリティの向上を図ることができる。
【図面の簡単な説明】
【００１７】
【図１】本発明の一実施の形態に係る変速装置を備える自動二輪車の側面図
【図２】本発明の一実施の形態に係る変速装置の要部構成を示す模式図
【図３】クラッチレバーの説明に供するハンドルにおける左側ハンドルバーの斜視図
【図４】レバーシリンダの構成を示す図
【図５】クラッチレバーの手応えと握り量との関係を示す図
【図６】本発明の一実施の形態に係る変速装置の制御部を説明するためのブロック図
【図７】クラッチレバーの握り角と補正後のレバー握り角とを示すゲインマップ
【図８】クラッチレバーにおける補正後握り角を用いて制御されるクラッチのレリーズ力を示す図
【図９】クラッチレバー操作反映部における処理の説明に供する模式図
【図１０】ギア比を換算した後における第１クラッチ及び第２クラッチにおけるトルク容量の合計の操作を説明するための図
【図１１】制御部におけるモード遷移の処理の説明に供する図
【図１２】本実施の形態に係る変速装置の各運転モードを示す図
【図１３】クラッチレバーの操作レンジの学習を説明するための図
【図１４】クラッチレバー操作範囲の学習を説明するためのフローチャート
【発明を実施するための形態】
【００１８】
以下、本発明の実施の形態について、図面を参照して詳細に説明する。
【００１９】
本実施の形態の変速装置が搭載される車両としては、自動車、鞍乗り型車両等のどのような車両でもよいが、ここでは、自動二輪車として説明する。また、本実施の形態において前，後，左，右とは、上記自動二輪車のシートに着座した状態で見た場合の前，後，左，右を意味する。
【００２０】
本実施の形態の変速装置は、奇数段と偶数段の変速ギア段の動力伝達をそれぞれ交互に行うことで、切れ目ない変速を実現する複数の摩擦伝動式のクラッチを備え、１基のエンジンとともに駆動ユニットとして自動二輪車に搭載されている。まず、変速装置を有する駆動ユニットが搭載された自動二輪車の概要について説明する。
【００２１】
図１は、本発明の一実施の形態に係る変速装置を備える自動二輪車の側面図である。なお、図１に示す自動二輪車は、変速装置のクラッチを覆うクラッチカバーを外しており、クラッチカバーを外すことによって変速機構７０（図２参照）の第２クラッチ７５が露出している。
【００２２】
図１に示す自動二輪車１０は、前端側にヘッドパイプ１２が設けられ、後方に延びつつ下方に傾斜するとともに、エンジン２０、変速機構７０、モータ等を含む駆動ユニットが内部に配置されたメインフレーム１４を備える。ヘッドパイプ１２には、上部にハンドル１５が取り付けられたフロントフォーク１６が回動可能に設けられ、このフロントフォーク１６の下端で回転自在に取り付けられた前輪１７を支持している。
【００２３】
このハンドル１５には、操作量が電気信号に変換されて制御部に出力されることによってクラッチを制御するバイワイヤ式のクラッチレバー２００が取り付けられている。
【００２４】
図１に示すメインフレーム１４内に配置されたエンジン２０は、シリンダヘッドの下方にクランクシャフト６０（図２参照）を車両の前後方向に直交する方向（左右方向）に略水平に延在させて車両の略中央部分に設けられている。エンジン２０の後方側には、クランクシャフト６０（図２参照）に接続され、クランクシャフト６０を介して動力が入力される変速機１６０が設けられている。
【００２５】
また、メインフレーム１４において下方に傾斜する後端辺部から、リアアーム１８が後方に延在して接合されている。リアアーム１８は、後輪１９および図示しないドリブンスプロケットを回転可能に保持している。後輪１９は、ドライブスプロケット７６（図２参照）との間に巻回されたドライブチェーン１３を介してドリブンスプロケットから動力が伝達される。なお、自動二輪車１０では、駆動ユニットの上方にシート１１及び燃料タンク１１ａが配置され、シート１１及び燃料タンク１１ａと駆動ユニットとの間には、自動二輪車１０の各部の動作を制御する制御部３００が配設されている。この制御部３００を介してツインクラッチ式の変速装置１００では、１基のエンジンに対して、それぞれ奇数段と偶数段の変速ギア段（変速ギア機構）の動力伝達を行う動作が制御される。
【００２６】
図２は、本発明の一実施の形態に係る変速装置の要部構成を示す模式図である。また、図２では、エンジン本体は図示省略している。
【００２７】
本実施の形態の変速装置は、ＤＣＴ（Dual Clutch Automated Manual Transmission:デュアルクラッチ自動マニュアル変速機）の変速機１６０であり、複数のクラッチ（第１クラッチ７４及び第２クラッチ７５）を交互に切り替えることによって、奇数段或いは偶数段の変速ギアへの駆動力の伝達を可能とする。本実施の形態の変速装置は、ＤＣＴにおいてクラッチレバーを用いて運転者のクラッチ操作を可能とする。なお、ＡＭＴ式又はＤＣＴ式の一方の変速機を有した変速装置であって、バイワイヤ式のクラッチレバー２００によって、変速機１６０のクラッチ（第１クラッチ７４、第２クラッチ７５のクラッチ容量を調節できるものとしてもよい。
【００２８】
まず、クラッチレバー２００によって容量が調整されるクラッチ７４、７５を備えるＤＣＴとしての変速機１６０について説明する。
【００２９】
図２に示すように変速機１６０は、変速機構７０と、 シフト機構１４０とを有する。
【００３０】
変速機構７０は、エンジンのクランクシャフト６０に接続され、クランクシャフト６０から伝達されるトルクを可変して後輪１９（図１参照）側に伝達する。また、 シフト機構１４０は、変速機１６０における可変動作を行う。なお、クランクシャフト６０は、自動二輪車において、車両の前後方向と直交する方向に、且つ、略水平（横方向）に配置されている。
【００３１】
クランクシャフト６０は、複数のクランクウェブ６１を有し、これら複数のクランクウェブ６１のうち、クランクシャフト６０の一端部および他端部に配置されるクランクウェブ６１ａ、６１ｂは、それぞれの外周にはギア溝が形成された外歯歯車である。
【００３２】
クランクウェブ６１ａは、第１クラッチ７４における第１のプライマリドリブンギア（「第１入力ギア」ともいう）４０と歯合している。この歯合により、クランクシャフト６０の一端部のクランクウェブ６１ａから第１入力ギア４０に伝達される動力は、第１クラッチ７４を介して、クランクシャフト６０の一端部側から変速機１６０の第１メインシャフト７１に伝達される。
【００３３】
また、クランクウェブ６１ｂは、第２クラッチ７５における第２のプライマリドリブンギア（「第２入力ギア」といもいう）５０と歯合している。この歯合により、クランクシャフト６０の他端部のクランクウェブ６１ｂから第２入力ギア５０に伝達される動力は、クランクシャフト６０の他端部側から第２メインシャフト７２に伝達される。
【００３４】
第１メインシャフト（第１主軸部）７１、第２メインシャフト（第２主軸部）７２及びドライブシャフト（出力軸）７３は、クランクシャフト６０と平行に配置される。
【００３５】
第１メインシャフト７１と、第２メインシャフト７２とは、同一軸線上に並べて配置されている。第１メインシャフト７１は、第１クラッチ７４に連結されており、第２メインシャフト７２は、第２クラッチ７５に連結されている。
【００３６】
第１クラッチ７４及び第２クラッチ７５は、第１メインシャフト７１と第２メインシャフト７２とを車両の両側方から挟むように、且つ、車両の前後方向と直交する方向（ここでは左右方向）に離間して配置されている。
【００３７】
第１クラッチ７４は、多板式構造の摩擦クラッチであり、締結状態において、クランクシャフト６０を介したエンジンからの回転動力を第１メインシャフト７１に伝達し、他方、解放状態においてエンジンから第１メインシャフト７１への回転動力を遮断する。
【００３８】
第１クラッチ７４は、第１クラッチアクチュエータ７７の駆動によって締結状態と開放状態とに動作する。すなわち、第１クラッチアクチュエータ７７の駆動によって、第１クラッチ７４の伝達トルク容量（以下、「トルク容量」という）が変化する。
【００３９】
ここでは、第１クラッチ７４は、第１クラッチアクチュエータ７７の第１プルロッド７７ａに連結されており、この第１プルロッド７７ａの進退動によって締結状態及び開放状態となる。第１クラッチ７４では、第１プルロッド７７ａが第１クラッチ７４から離間する方向に引かれると、図示しない複数のクラッチプレートと複数のフリクションプレートが互いに離間する。これにより、第１クラッチ７４は開放状態となって、第１入力ギア４０から第１メインシャフト７１へのトルクの伝達が切断、つまり、第１メインシャフト７１への動力伝達が遮断されることになる。一方、第１プルロッド７７ａが第１クラッチ７４側に移動すると、複数のクラッチプレートと複数のフリクションプレートが互いに密着していく。これにより、第１クラッチ７４は締結状態となって、第１メインシャフト７１へトルクが伝達される、つまり、奇数ギア（１速ギア８１、３速ギア８３および５速ギア８５）群を有する奇数ギア段の動力伝達が行われる。このように第１クラッチ７４では、第１プルロッド７７ａの引き度合いに応じて、トルク容量が変化して第１メインシャフト７１への伝達トルクが調整される。
【００４０】
このように第１クラッチアクチュエータ７７は、制御部３００からの制御指令に基づいて、第１クラッチ７４において、第１メインシャフト７１に作用する係合力、つまり、第１クラッチ７４から第１メインシャフト７１への伝達トルクを調整する。これにより、エンジンから第１メインシャフト７１への動力の伝達或いは遮断が行われて、車両は発進したり停止したりする。
【００４１】
ここでは、第１クラッチアクチュエータ７７は、油圧によって第１クラッチ７４の伝達トルクを調整する。
【００４２】
第１メインシャフト７１に伝達されたトルクは、奇数段のギア（各ギア８１、８３、８５、７１１、７１２、７３１）において所望のギア対（第１メインシャフト７１上のギア７１１、８５、７１２と、これらギアに対応するドライブシャフト７３上のギア８１、７３１、８３の対）を介してドライブシャフト７３から出力される。
【００４３】
また、第２クラッチ７５は、第１クラッチ７４と同様に構成された多板式の摩擦クラッチである。第２クラッチ７５は、締結状態において、クランクシャフト６０を介したエンジンからの回転動力を第２メインシャフト７２に伝達し、他方、解放状態においてエンジンから第２メインシャフト７２への回転動力を遮断する。
【００４４】
第２クラッチ７５は、第２クラッチアクチュエータ７８の駆動よって締結状態と解放状態とに動作する。すなわち、第２クラッチアクチュエータ７８の駆動によって、第２クラッチ７５のトルク容量が変化する。
【００４５】
ここでは、第２クラッチ７５は、第２クラッチアクチュエータ７８の第２プルロッド７８ａに連結されており、この第２プルロッド７８ａの進退動によって締結状態及び開放状態となる。第２クラッチ７５では、第２プルロッド７８ａが第２クラッチ７５から離間する方向に引かれると、図示しない複数のクラッチプレートと複数のフリクションプレートが互いに離間する。これにより、第２クラッチ７５は開放状態となって、第２入力ギア５０から第２メインシャフト７２へのトルクの伝達が切断、つまり、第２メインシャフト７２への動力伝達が遮断されることになる。一方、第２プルロッド７８ａが第２クラッチ７５側に移動すると、複数のクラッチプレートと複数のフリクションプレートが互いに密着していく。これにより第２クラッチ７５は締結状態となって、第２メインシャフト７２へトルクが伝達される、つまり、偶数ギア（２速ギア８２、４速ギア８４および６速ギア８６）群を有する偶数ギア段の動力伝達が行われる。このように第２クラッチ７５では、第２プルロッド７８ａの引き度合いに応じて、トルク容量が変化して第２メインシャフト７２への伝達トルクが調整される。
【００４６】
第２クラッチアクチュエータ７８は、制御部３００からの制御指令に基づいて、第２クラッチ７５において第２メインシャフト７２に作用する係合力、つまり、第２クラッチ７５から第２メインシャフト７２への伝達トルクを調整する。これにより、エンジンから第２メインシャフト７２への動力の伝達或いは遮断が行われて、車両は発進したり停止したりする。
【００４７】
なお、第２クラッチアクチュエータ７８は、第１クラッチアクチュエータ７７と同様に構成され、第１クラッチアクチュエータ７７が第１クラッチ７４を駆動する動作と同様の動作で、第２クラッチ７５を駆動する。
【００４８】
さらに、第１クラッチアクチュエータ７７及び第２クラッチアクチュエータ７８は、走行中に、第１クラッチ７４および第２クラッチ７５を動作させることによって、変速機内部のトルク伝達経路を切り替えて変速動作を行う。
【００４９】
なお、これら第１クラッチアクチュエータ７７及び第２クラッチアクチュエータ７８は、ここでは、油圧式のものとしたが、クラッチに作用する係合力を調整する構成であれば、電気式等、どのように構成されてよい。
【００５０】
第２メインシャフト７２に伝達されたトルクは、偶数段のギア（各ギア８２、８４、８６、７２１、７２２、７３２）において所望のギア対（第２メインシャフト７２上のギア７２１、８６、７２２と、これらギアに対応するドライブシャフト７３上のギア８２、７３２、８４の対）を介してドライブシャフト７３から出力される。
【００５１】
このように第１メインシャフト７１及び第２メインシャフト７２に伝達される動力は、適宜選択された変速段を構成する各ギア８１〜８６、７１１、７１２、７２１、７２２、７３１、７３２を介して、車両後方に配置されたドライブシャフト７３に伝達される。
【００５２】
なお、ドライブシャフト７３の一端部（左側端部）にはスプロケット７６が固定されている。このスプロケット７６に巻回されたドライブチェーン１３（図１参照）は、後輪１９の回転軸に設けられたスプロケット７６に巻回されており、スプロケット７６が、ドライブシャフト７３の回転に伴って回転することによって、ドライブチェーン１３（図１参照）を介して、駆動輪である後輪１９に変速機１６０からの駆動力が伝達される。言い換えれば、エンジンで発生したトルクは、第１クラッチ７４または第２クラッチ７５、各変速段に対応した所定ギア列を経由して、ドライブシャフト７３から出力されて、後輪（駆動輪）を回転させる。
【００５３】
第１メインシャフト７１において、奇数段のギア（各ギア８１、８３、８５、７１１、７１２、７３１）を介してドライブシャフト７３に出力する駆動力の伝達部位と、第２メインシャフト７２において、偶数段のギア（各ギア８２、８４、８６、７２１、７２２、７３２）を介してドライブシャフト７３に出力する駆動力の伝達部位とは、略同径の外径である。また、第１メインシャフト７１の駆動力の伝達部位と、第２メインシャフト７２の駆動力の伝達部位とは、同心円上で重なることなく配置されている。この変速機構７０では、互いに同径の外径を有する第１メインシャフト７１及び第２メインシャフト７２が同一軸線上に左右に並べて配設され、それぞれ独立で回動する。
【００５４】
第１メインシャフト７１上には、奇数段を構成する変速ギア７１１、８５、７１２が配設されている。具体的には、第１メインシャフト７１上に、第１クラッチ７４が接続される基端側から順に、固定ギア（１速対応ギア）７１１、５速ギア８５およびスプラインギア（３速対応ギア）７１２が配設されている。
【００５５】
固定ギア７１１は、第１メインシャフト７１に一体的に形成され、第１メインシャフト７１とともに回転する。固定ギア７１１は、ドライブシャフト７３の１速ギア（被動側ギア）８１に歯合しており、ここでは、１速対応ギアとも称する。
【００５６】
５速ギア８５は、第１メインシャフト７１上において、１速対応の固定ギア７１１と、３速対応のスプラインギア７１２との間に互いに離間した位置に、軸方向への移動を規制された状態で、第１メインシャフト７１の軸周りに回転自在に取り付けられている。
【００５７】
５速ギア８５は、ドライブシャフト７３のスプラインギア（被動側ギアとしての５速対応ギア）７３１に歯合している。
【００５８】
スプラインギア７１２は、第１メインシャフト７１上に、当該第１メインシャフト７１の先端側、つまり、第１クラッチ７４から離間する側の端部側に、第１メインシャフト７１の回転に伴い回転するとともに、軸方向に移動自在に取り付けられている。
【００５９】
具体的には、スプラインギア７１２は、第１メインシャフト７１における先端部の外周に軸方向に沿って形成されたスプラインによって、第１メインシャフト７１に対して回動を規制されつつ、軸方向にはスライド移動自在に取り付けられ、ドライブシャフト７３の３速ギア（被動側ギア）８３に歯合している。このスプラインギア７１２は、シフトフォーク１４２に連結され、シフトフォーク１４２の移動によって第１メインシャフト７１上を軸方向に移動する。なお、スプラインギア７１２は、ここでは、３速対応ギアとも称する。
【００６０】
スプラインギア７１２は、第１メインシャフト７１上を５速ギア８５側に移動して５速ギア８５と係合し、第１メインシャフト７１上における５速ギア８５の軸回りの回動（空転）を規制する。スプラインギア７１２が５速ギア８５に係合することにより、５速ギア８５を第１メインシャフト７１に固定し、第１メインシャフト７１の回転とともに一体的に回転可能にさせる。
【００６１】
一方、第２メインシャフト７２上には、偶数段を構成する変速ギア７２１、８６、７２２が配置されている。具体的には、第２メインシャフト７２上に、第２クラッチ７５が接続される基端部側から順に、固定ギア（２速対応ギア）７２１、６速ギア８６およびスプラインギア（４速対応ギア）７２２が配設されている。
【００６２】
固定ギア７２１は、第２メインシャフト７２に一体的に形成され、第２メインシャフト７２とともに回転する。固定ギア７２１は、ドライブシャフト７３の２速ギア（被動側ギア）８２に歯合しており、ここでは、２速対応ギアとも称する。
【００６３】
６速ギア８６は、第２メインシャフト７２上において、２速対応の固定ギア７２１と、４速対応ギアであるスプラインギア７２２との間に互いに離間した位置に、軸方向への移動を規制された状態で、第２メインシャフト７２の軸周りに回転自在に取り付けられている。この６速ギア８６は、ドライブシャフト７３のスプラインギア７３２（被動側ギアとしての６速対応ギア）に歯合している。
【００６４】
スプラインギア（「４速対応ギア」ともいう）７２２は、第２メインシャフト７２上に、当該第２メインシャフト７２の先端側、つまり、第２クラッチ７５から離間する側の端部側に、第２メインシャフト７２の回転に伴い回転するとともに、軸方向に移動自在に取り付けられている。
【００６５】
具体的には、スプラインギア７２２は、第２メインシャフト７２における先端部の外周に軸方向に沿って形成されたスプラインによって、第２メインシャフト７２に対する回動を規制されつつ、軸方向にはスライド移動自在に取り付けられ、ドライブシャフト７３の４速ギア（被動側ギア）８４に歯合している。このスプラインギア７２２は、シフトフォーク１４３に連結され、シフトフォーク１４３の移動によって第２メインシャフト７２上を軸方向に移動する。
【００６６】
スプラインギア７２２は、第２メインシャフト７２上を６速ギア８６側に移動して６速ギア８６と係合し、第２メインシャフト７２上における６速ギア８６の軸回りの回動（空転）を規制する。スプラインギア７２２が６速ギア８６に係合することにより、６速ギア８６を第２メインシャフト７２に固定し、第２メインシャフト７２の回転とともに一体的に回転可能にさせる。
【００６７】
一方、ドライブシャフト７３には、第１クラッチ７４側から順に１速ギア８１、スプラインギア（５速対応ギア）７３１、３速ギア８３、４速ギア８４、スプラインギア（６速対応ギア）７３２、２速ギア８２およびスプロケット７６が配置されている。
【００６８】
ドライブシャフト７３において、１速ギア８１、３速ギア８３、４速ギア８４および２速ギア８２は、ドライブシャフト７３の軸方向における移動が禁止された状態でドライブシャフト７３を中心に回転自在に設けられている。
【００６９】
スプラインギア（「５速対応ギア」ともいう）７３１は、ドライブシャフト７３に対して、スプライン係合によって回動を規制されつつ、軸方向にはスライド移動自在に取り付けられている。すなわち、スプラインギア７３１は、ドライブシャフト７３に対してスラスト方向に移動自在で且つ、ドライブシャフト７３とともに回転するように取り付けられている。このスプラインギア７３１は、シフト機構１４０のシフトフォーク１４１に連結され、シフトフォーク１４１の可動によってドライブシャフト７３上を軸方向に移動する。
【００７０】
スプラインギア（「６速対応ギア」ともいう）７３２は、ドライブシャフト７３に対して、スプライン係合によって回動を規制されつつ、軸方向にはスライド移動自在に取り付けられている。すなわち、スプラインギア（６速対応ギア）７３２は、ドライブシャフト７３に対してスラスト方向に移動自在で且つ、ドライブシャフト７３とともに回転するように取り付けられている。このスプラインギア７３２は、シフト機構１４０のシフトフォーク１４４に連結され、シフトフォーク１４４の可動によってドライブシャフト７３上を軸方向に移動する。
【００７１】
なお、スプロケット７６は、ドライブシャフト７３において、第２クラッチ７５側に位置する端部に固定されている。
【００７２】
これらスプラインギア７１２、７２２、７３１、７３２は、変速ギアとしてそれぞれ機能するとともにドグセレクタとして機能している。具体的には、スプラインギア７１２、７２２、７３１、７３２と、軸方向で隣り合う各変速ギアとの互いの対向面同士には、互いに嵌合する凹凸部が形成され、凹凸部が嵌合することによって両ギアは一体的に回動する。
【００７３】
このように、スプラインギア７１２、７２２、７３１、７３２は、連結されたシフトフォーク１４１〜１４４の駆動によって軸方向に移動されることによって、軸方向で隣り合う各変速ギア（１速ギア８１〜６速ギア８６）のそれぞれにドグ機構により連結される。
【００７４】
なお、変速機構７０において各ギア８１〜８６、７１１、７１２、７２１、７２２、７３１、７３２に対して行われるギアシフトは、シフト機構１４０におけるシフトカム１４の回転によって可動するシフトフォーク１４１〜１４４によって行われる。
【００７５】
シフト機構１４０は、シフトフォーク１４１〜１４４と、シフトカム１４と、シフトカム１４を回転駆動させるシフトカム駆動装置１４６と、モータ１４５と、モータ１４５とカム駆動装置１４６とを連結して、モータ１４５の駆動力をシフトカム駆動装置１４６に伝達する伝達機構４１とを有する。
【００７６】
シフトフォーク１４１〜１４４は、各スプラインギア７３１、７１２、７２２，７３２とシフトカム１４との間に架設されており、互いに、第１及び第２メインシャフト７１、７２、及びドライブシャフト７３、シフトカム１４の軸方向で離間して配置されている。これらシフトフォーク１４１〜１４４は互いに平行するように並べられ、それぞれがシフトカム１４の回転軸の軸方向に移動自在に配置されている。
【００７７】
シフトフォーク１４１〜１４４は、基端側のピン部を、シフトカム１４の外周に形成された４本のカム溝１４ａ〜１４ｄにおけるそれぞれの溝内に、移動自在に配置させている。すなわち、シフトフォーク１４１〜１４４は、シフトカム１４を原節とした従節をなしており、シフトカム１４のカム溝１４ａ〜１４ｄの形状によって第１及び第２メインシャフト７１、７２、及びドライブシャフト７３の軸方向にスライド移動する。このスライド移動によって、先端部に連結される各スプラインギア７３１、７１２、７２２，７３２は、各々の内径に挿通されている各軸上を軸方向にそれぞれ移動する。
【００７８】
シフトカム１４は、円筒状をなし、回転軸が第１メインシャフト７１、第２メインシャフト７２及びドライブシャフト７３と平行になるように配置されている。
【００７９】
シフトカム１４は、伝動機構４１を介してシフトカム駆動装置１４６に伝達されるモータ１４５の駆動力によって回転駆動する。シフトカム１４は、回転によって、カム溝１４ａ〜１４ｄの形状に応じてシフトフォーク１４１〜１４４のうち少なくとも一つを、シフトカム１４の回転軸の軸方向に可動させる移動させる。
【００８０】
このようなカム溝１４ａ〜１４ｄを有するシフトカム１４の回転に追従して可動するシフトフォーク１４１〜１４４によって、その移動したシフトフォークに連結されるスプラインギアが移動して、変速機１６０（変速機構７０）のギアシフトが行われる。言い換えれば、モータ１４５は、シフト機構１４０のシフトカム１４を回転させることによってギアシフトを行う。
【００８１】
変速機１６０では、エンジンの駆動力は、第１及び第２クラッチ７４、７５の動作とこれらに対応するシフト機構１４０の動作とによって、第１及び第２メインシャフト７１、７２をそれぞれ有する独立の２系統の一方を介してドライブシャフト７３に伝達される。このドライブシャフト７３の回転とともにドリブンスプロケット７６が回転し、チェーンを介して後輪を回転する。
【００８２】
この変速機１６０における第１クラッチ７４、第２クラッチ７５及びシフト機構１４０は、第１クラッチアクチュエータ７７、第２クラッチアクチュエータ７８及びモータ１４５を介して制御部３００によって制御される。制御部３００は、入力される信号に基づいて、所定のタイミングで、第１クラッチアクチュエータ７７、第２クラッチアクチュエータ７８及びモータ１４５の動作を制御する。これら第１クラッチアクチュエータ７７、第２クラッチアクチュエータ７８及びモータ１４５の動作によって、第１クラッチ７４、第２クラッチ７５と各変速ギア段とが動作されて変速段の切り替え動作が行われる。
【００８３】
制御部３００は、モード切替用スイッチ１１０、シフトスイッチ１２０、クラッチレバー２００のレバー操作量を検出するレバー操作量検出部１３０及びセンサ群１５０から入力される信号に基づいて変速機１６０、エンジン２０（図１参照）等の車両の各部を制御する。
【００８４】
特に、制御部３００は、モード切替用スイッチ１１０の操作によって選択されるモードに応じて変速機１６０を制御する。制御部３００は、シフトスイッチ１２０の操作によって変速機１６０における変速動作を制御する。
【００８５】
制御部３００は、クラッチレバー２００の操作に応じてクラッチ（ここでは第１クラッチ７４及び第２クラッチ７５）における伝達トルク（クラッチのトルク容量）を制御する。なお、これら制御部３００の変速機１６０の制御についての詳細は後述する。
【００８６】
また、制御部３００は、センサ群１５０のうち、スロットル入力ポテンショメータから、スロットル開度信号が入力される。これにより、制御部３００は、エンジン２０（図１参照）のスロットルバルブを制御して、エンジンシリンダ内への混合気の供給を制御する。
【００８７】
モード切替用スイッチ１１０は、変速装置における操作モードを選択するスイッチである。ここでは、モード切替用スイッチ１１０は、「３ペダルモード」と「２ペダルモード」とを切り換えることによって選択し、選択されたモード信号を制御部３００に出力する。
【００８８】
「３ペダルモード」は、アクセルペダル（アクセルグリップ）、ブレーキペダル、クラッチペダル（クラッチレバー）の３つのペダルによって変速装置を操作するモードである。また、「２ペダルモード」は「３ペダルモード」においてクラッチペダル（クラッチレバー）が無く、アクセルペダル（アクセルグリップ）及びブレーキペダルで変速装置を操作するモードである。なお、本実施の形態の変速装置では、「２ペダルモード」時において運転者がシフト操作を行えるＡＭＴモード及び運転者がＮ→１速へのシフト操作を行えるＡＴモードをイメージした変速制御を行うことができる。また、本実施の形態では、「３ペダルモード」時において、ＭＴモード及び、変速時のクラッチ操作のみ自動で行うセミＭＴモードをイメージした変速制御を行うことができる（図１１参照）。
【００８９】
シフトスイッチ１２０は、ここではハンドル１５において左側のハンドルバーに設けられている。シフトスイッチ１２０は、シフトアップボタンおよびシフトダウンボタンを有する。シフトアップボタンが運転者に押下されることによって、制御部３００を介して変速機１６０はシフトアップ動作を実行し、シフトダウンボタンが運転者に押下されることによって、制御部３００を介して変速機１６０はシフトダウン動作を実行する。
【００９０】
また、シフトスイッチ１２０は、「２ペダルモード」中に、押下されることによって、変速制御を、変速時にシフト操作（変速段の切替）を行えるＡＭＴモードにし、押下されなければＡＴモードにする機能を有する。
【００９１】
クラッチレバー２００は、図１に示すように、ハンドル１５の左側ハンドルバーに配置され、運転者が左手用のグリップとともに握持自在となっている。
【００９２】
クラッチレバー２００は、バイワイヤ式のクラッチレバー２００である。クラッチレバー２００では、レバー操作量検出部１３０によって運転者に握られるレバーの操作量（図３に示すレバー本体２２０の常態時と操作時との間の角度θ）を検出する。レバー操作量検出部１３０は、検出したレバー操作量を電気信号に変換して制御部３００に出力する。
【００９３】
図３は、クラッチレバー２００の説明に供するハンドルにおける左側ハンドルバーの斜視図である。
【００９４】
図３に示すように、クラッチレバー２００は、ハンドル１５の左側ハンドルバー１５ａにおいてグリップ１５ｂに対向配置され、運転者に握られるレバー本体２２０を有する。レバー本体２２０の基端部２２１は、左側ハンドルバー１５ａの基部に、軸部２２３を介して回動自在に取り付けられている。
【００９５】
レバー本体２２０が回動する、つまり、レバー本体２２０の先端部がグリップ１５ｂ側に接近するように移動することによって、レバーシリンダ２３０内に挿入されたワイヤ２３２の他端部２３２ｂ（図４参照）を牽引する。
【００９６】
図４は、レバーシリンダの構成を示す図であり、図４（ａ）は、レバーシリンダの右端面視図、図４（ｂ）は同レバーシリンダの断面図である。
【００９７】
図４に示すように、ワイヤ２３２は、一端側が閉塞された有蓋円筒状のレバーシリンダ２３０内に挿通され、一端部２３２ａで、レバーシリンダ２３０の底部側に配置される第１リテーナ２３３に固定され、他端部２３２ｂでレバー本体２２０に固定されている。
【００９８】
第１リテーナ２３３は、第２リテーナ２３４内に、第１コイルバネ２３５を介して挿入され、挿入方向に第１コイルバネ２３５の付勢力に抗して移動自在である。第１リテーナ２３３の挿入方向側への移動は、フランジ部２３３ａにより規制される。
【００９９】
第２リテーナ２３４は、第２コイルバネ２３６内に挿入され、フランジ部２３４ａで第２コイルバネ２３６の一端側で掛止している。第２コイルバネ２３６は、第２リテーナ２３４を外挿する長さよりも長く、その他端部は、レバーシリンダ２３０内に軸方向に移動自在に配置されたフリーピストン２３７に当接している。
【０１００】
フリーピストン２３７は、レバーシリンダ２３０内で、第３コイルバネ（圧縮コイルバネ）２３８によってレバーシリンダ２３０の開口方向、つまり、第２コイルバネ２３６側に付勢された状態で配置されている。第３コイルバネ２３８は、レバーシリンダ２３０内において、第２コイルバネ２３６が収縮して所定の付勢力以上の付勢力を得た際に収縮するようにプリロードされた状態で配置されている。フリーピストン２３７は、レバーシリンダ２３０内からプリロードされた第３コイルバネ２３８の付勢力により飛び出さないように、サークリップ２３９によって規制されている。
【０１０１】
このように構成されたクラッチレバー２００では、レバー本体２２０の基端部で、レバーシリンダ２３０の底面の軸心から導出される他端部２３２ｂが係合されている。
【０１０２】
レバー本体２２０が運転者に握持されて、グリップ１５ｂ側に握られることによって基端部側を中心に回動すると、常態時であるＢの位置にある他端部２３２ｂは、Ａ方向に引っ張られる。
【０１０３】
これにより、一端部２３２ａは第１リテーナ２３３をＡ方向に引っぱり、第１リテーナ２３３を第１コイルバネ２３５の付勢力に抗してＡ方向に移動させる。
【０１０４】
Ａ方向、つまり第２リテーナ２３４への挿入方向に移動する第１リテーナ２３３では、フランジ部２３３ａが、第２リテーナ２３４のフランジ部２３４ａを押圧し、第２リテーナ２３４自体を第２コイルバネ２３６の付勢力に抗してＡ方向に移動させる。
【０１０５】
第２リテーナ２３４のＡ方向の移動によってフリーピストン２３７もＡ方向への荷重がかかるが、フリーピストン２３７はプリロードされた第３コイルバネ２３８によってＡ方向とは逆方向に付勢されている。このため、第２リテーナ２３４の移動によって圧縮した第２コイルバネ２３６が所定の付勢力を得るまでは、第３コイルバネ２３８は、第２コイルバネ２３６と拮抗する。これにより、フリーピストン２３７自体は、第２コイルバネ２３６によるＡ方向への付勢力が第３コイルバネ２３８のＡ方向とは逆方向の付勢力より大きくなるまでＡ方向に移動しない。
【０１０６】
そして、第２コイルバネ２３６によるＡ方向への付勢力が第３コイルバネ２３８のＡ方向とは逆方向の付勢力より大きくなると、フリーピストン２３７は、Ａ方向へ移動する。
【０１０７】
図５は、クラッチレバーの手応えと握り量との関係を示す図である。
【０１０８】
図５に示すように、握り始めて第１リテーナ２３３が第１コイルバネ２３４を収縮する部分Ｄよりも、第２コイルバネ２３６を収縮させる部分Ｅの方が傾きを大きくしている。つまり、第１コイルバネ２３４の付勢力よりも第２コイルバネ２３６の付勢力を大きくしており、この第２コイルバネ２３６を収縮させる部分を、クラッチの容量を変化させる部分として設定する。
【０１０９】
このようにクラッチレバー２００では、レバー本体２２０の操作量に対する操作反力（手応え）の増加割合が少なくとも２段階に変化するように構成されている。これにより機械式のクラッチレバーの操作と同様の手応えを演出する、所謂、機械式のクラッチレバーの操作と同様の力覚呈示を行える。
【０１１０】
例えば、レバー操作量検出部１３０によって、レバー本体２２０において常態時から操作された際の開度を検出して制御部３００に出力する。制御部３００は、特に、第２コイルバネ２３６を収縮させる際のレバー本体２２０の開度が、クラッチのトルク容量と対応するように制御する。
【０１１１】
これにより、運転者に対して、ＭＴで用いられるクラッチレバーと同様に、第１コイルバネ２３４を収縮させる部分、つまり、握り始めてから所定位置までは遊び部分として感覚を付与できる。よって、運転者は軽く握った後、レバー本体２２０を握る際に急に負荷が掛かり始める位置を認識することができ、これにより、急に負荷の掛かる範囲をクラッチのトルク容量を調整する範囲として認識できる。
【０１１２】
図６は、本発明の一実施の形態に係る変速装置の制御部を説明するためのブロック図である。
【０１１３】
図６に示す変速装置１００において、制御部３００は、ＴＣＵ（Transmission Control Unit、「変速制御部」とも称する）の機能とＥＣＵ（Engine Control Unit、「エンジン制御部」とも称する）の機能とを有する。
【０１１４】
制御部３００は、モード切替用スイッチ１１０、レバー操作量検出部１３０、センサ群１５０（１５１〜１５５等）、シフトスイッチ１２０から入力される情報を用いて、車両の動作状態を監視すると共に動作状態を制御する。
【０１１５】
制御部３００は、モード切替用スイッチ１１０により選択されるモードにおいてクラッチトルク容量指令値とギア段指令値を生成して出力し、変速機１６０を制御する。
【０１１６】
この制御部３００は、シフトスイッチ１２０の操作によって、クラッチのトルク容量を調節する第１及び第２クラッチアクチュエータ７７、７８と、シフト（ギア段）を切り替えるシフト機構１４０を協調的に動作させて、一連の変速段切り替え動作を自動的に行う。所謂、ＡＭＴとして変速機１６０を制御する機能を有する。
【０１１７】
また、制御部３００は、運転者がシフトスイッチ１２０によるシフト段切り替えの指示を常時は行わない場合、シフト段の選択と、選択したシフト段を切り換える一連の動作（クラッチ動作）を全て自動的に行う。所謂、ＡＴとして変速機１６０を制御する機能を有する。
【０１１８】
具体的には、制御部３００は、入力される情報に基づいて変速機１６０を制御する動作指令値を生成する変速指令値生成部３２０と、変速機１６０に最終的な動作指令値を出力する動作司令部３３０とを有する。
【０１１９】
変速指令値生成部３２０は、自動変速に関するクラッチトルク容量指令値を生成するクラッチトルク容量指令値生成部３２２と、変速ギア段を指示するギア段指令部３２４とを有する。
【０１２０】
自動変速を行う場合、変速指令値生成部３２０では、クラッチトルク容量指令値及びギア段指令値は、センサ群１５０から入力される情報と、クラッチ切断、変速ギア切替及びクラッチ接続の一連の動作を内部に格納した所定のプログラムやマップの情報とを用いて生成される。
【０１２１】
また、変速指令値生成部３２０では、シフトスイッチ１２０が操作される場合には、シフトスイッチ１２０からシフト先の変速ギア段の指示情報が入力され、この入力されたギア段の指示を優先させて、且つ、センサ群１５０から入力される情報と、クラッチ切断、変速ギア切替及びクラッチ接続の一連の動作を内部に格納した所定のプログラムやマップの情報とを用いてクラッチトルク容量指令値及びギア段指令値を生成する。
【０１２２】
さらに、変速指令値生成部３２０には、モード切替用スイッチ１１０によって切り換えられる変速操作のモードが入力される。変速指令値生成部３２０は、入力されるモードに応じて、且つ、センサ群１５０から入力される情報と、クラッチ切断、変速ギア切替及びクラッチ接続の一連の動作を内部に格納した所定のプログラムやマップの情報とを用いて、変速時、及び、発進時と停止時のクラッチトルク容量指令値及びギア段指令値を生成する。
【０１２３】
即ち変速指令値生成部３２０では、モード切替用スイッチ１１０によって切り換えられる変速操作のモードに応じて、ギア段指令値を運転者によるシフトスイッチ１２０の操作に基づき生成するか、変速指令値生成部３２０の内部に格納した所定のプログラムやマップの情報を用いて生成するかを切り替えて、ギア段指令部３２４から動作指令部３３０へ出力する。
【０１２４】
また、変速指令値生成部３２０では、モード切替用スイッチ１１０によって切り換えられる変速操作のモードに応じて、変速時、及び、発進時と停止時のクラッチ操作のクラッチトルク容量指令値を、クラッチトルク容量指令値生成部３２２から動作指令部３３０へ出力する。
【０１２５】
なお、制御部３００（変速指令値生成部３２０及び動作司令部３３０）は、センサ群１５０から入力される情報によって車両の駆動状態を検出する。センサ群１５０から入力される情報としては、エンジン回転数、第１メインシャフト回転数、第２メインシャフト回転数、ドライブシャフト回転数、シフトカム位相、第１クラッチ位置、第２クラッチ位置及びアクセル開度などである。
【０１２６】
変速指令値生成部３２０は、予め設定された変速段毎のギア比に対応する第１メインシャフト７１のトルク、第２メインシャフト７２のトルク、ドライブシャフト７３のトルク及びエンジン回転数を用いて、クラッチトルク容量指令値及びギア段を出力する。変速指令値生成部３２０は、第１メインシャフト回転数、第２メインシャフト回転数、ドライブシャフト回転数をそれぞれ微分することによって第１メインシャフト７１、第２メインシャフト７２及びドライブシャフト７３のトルクを算出する。なお、ドライブシャフト回転数は、車速に相当する。シフトカム位相は、シフト機構１４０のモータ１４５の動作によって回転するシフトカム１４の回転角度を示す。このシフトカム１４の回転角度によって、変速指令値生成部３２０は、シフトカム１４の回転によって設定される所定の変速段（１速から６速、Ｎ）を取得できる。
【０１２７】
また、第１クラッチ位置及び第２クラッチ位置は、第１クラッチアクチュエータ７７による第１クラッチ７４の係合状態及び第２クラッチアクチュエータ７８による第２クラッチ７５の係合状態を示すものである。これら第１クラッチ位置及び第２クラッチ位置は、センサ群１５０のうちのクラッチ位置センサにより検出される。具体的には、第１クラッチ位置とは、第１プルロッド７７ａ（図２参照）により調整される第１クラッチ７４における複数のクラッチプレートと複数のフリクションプレートとの離間量、つまり、第１クラッチ７４の係合状態を示す。第２クラッチ位置は、第２プルロッド７８ａ（図２参照）により調整される第２クラッチ７５における複数のクラッチプレートと複数のフリクションプレートとの離間量、つまり、第２クラッチ７５の係合状態を示す。これらクラッチ位置の変化によってクラッチを介して出力されるトルク量が変化する。
【０１２８】
生成されたクラッチトルク容量指令値及びギア段指令値は動作司令部３３０に出力される。なお、生成されたクラッチトルク容量指令値及びギア段指令値が、そのまま最終動作値として出力されれば、第１クラッチアクチュエータ７７、第２クラッチアクチュエータ７８及びシフト機構１４０を介してクラッチ操作及びシフト操作は自動で行われる。
【０１２９】
動作司令部３３０は、入力される情報に基づいてクラッチトルク容量指令値及びギア段指令値を第１クラッチアクチュエータ７７、第２クラッチアクチュエータ７８及びモータ１４５に出力して第１クラッチ７４、第２クラッチ７５及びシフト機構１４０の駆動を制御する。
【０１３０】
動作司令部３３０には、クラッチレバー２００が操作される際には、クラッチレバー２００のレバー操作量が入力される。
【０１３１】
動作司令部３３０は、クラッチレバー２００からの入力が無ければ、変速指令値生成部３２０で生成されたクラッチトルク容量指令値及びギア段を最終指令値として、クラッチ動作指令部３３４、シフト動作司令部３３６から出力する。出力されるクラッチトルク容量指令値及びギア段指令値の少なくとも一方が、変速指令値生成部３２０で生成されている場合、他方と協調してクラッチ切断、変速ギア切替及びクラッチ接続の一連の動作を行わせる値となっている。
【０１３２】
動作司令部３３０では、クラッチレバー操作反映部３３２は、クラッチレバー２００のレバー操作量が入力された際に、このレバー操作量を、第１クラッチアクチュエータ７７、第２クラッチアクチュエータ７８を実際に駆動させるクラッチトルク容量値に反映させる。
【０１３３】
ここでは、クラッチレバー操作反映部３３２は、クラッチトルク容量指令値生成部３２２からクラッチ動作指令部３３４に入力されるクラッチトルク容量指令値をカットオフする。すなわち、クラッチトルク容量指令値生成部３２２が生成したクラッチトルク容量指令値に代わって、レバー操作量を反映してカットオフしたクラッチトルク容量指令値が、クラッチ動作指令部３３４に入力される。そして、レバー操作量を反映したクラッチトルク容量指令値、つまり、クラッチレバー２００の操作量に対応したクラッチトルク容量指令値が、クラッチ動作指令部３３４を介して第１クラッチアクチュエータ７７、第２クラッチアクチュエータ７８に出力される。
【０１３４】
クラッチレバー２００の操作量に対応するクラッチトルク容量指令値（動作指令値）は、図７に示すゲインマップを用いて変換して、図８に示す関係を満たす値として決定される。図７は、クラッチレバー２００の握り角と補正後のレバー握り角とを示すゲインマップである。図８はクラッチレバー２００における補正後握り角（操作量）を用いて制御されるクラッチのレリーズ力（係合状態）を示す。図８では、クラッチレバー２００の補正後握り角と、クラッチレバーのレリーズ力との関係Ｇ２は、メカニカルのクラッチレバーの握り角とクラッチレリーズ力との非線形な関係Ｇ１となるように近似している。なお、図８においてクラッチレリーズ力が６０〜８０％の範囲内でクラッチを繋ぐように設定される。
【０１３５】
図９は、クラッチレバー操作反映部３３２における処理の説明に供する模式図であり、クラッチレバー２００の操作量と、クラッチトルク容量指令値生成部３２２によって自動で生成されるクラッチトルク容量指令値（図９では「自動生成指令値」で示す）との関係を示す図である。なお、図９は、便宜上、第１クラッチ７４及び第２クラッチ７５の一方を駆動するために第１及び第２クラッチアクチュエータ７７、７８の一つ（単に「クラッチアクチュエータ」ともいう）に最終クラッチトルク容量指令値（最終動作指令値）を出力する場合を示している。また、ここでのレバー操作量と自動生成指令値との関係は一例として線形の関係として示している。また、図９におけるクラッチレバー操作量は、レバー本体２２０を完全に離して解放した状態を開度１００％、完全に握られた状態を開度０％とする。
【０１３６】
図９に示すように、動作司令部３３０のクラッチレバー操作反映部３３２には、クラッチトルク容量指令値生成部３２２により生成されるクラッチトルク容量指令値（自動で生成された指令値）が常時入力されている。クラッチレバー２００の操作が無い場合は、自動生成指令値が最終動作指令値としてクラッチアクチュエータに出力される。クラッチレバー２００が操作されるとレバー操作量検出部１３０からクラッチレバー２００の操作量が入力される。入力されるクラッチレバー２００の操作量情報の度合い（握り度合い）によって、指令値制限ライン（レバー操作量に対応して可変な、クラッチ容量指令値の最大値を示すライン）はＹ軸上を上下する。この指令値制限ラインが自動生成指令値よりも低い場合、この指令値制限値が自動生成指令値の最大値となって、最終クラッチ動作指令値（最終動作指令値）として出力される。つまり、レバー操作量によってクラッチトルク容量を調整するためのクラッチトルク容量指令値の最大値である自動生成指令値の最大値を制限する。ここでは、クラッチトルク動作指令部３３４は、最大値が制限されたクラッチトルク容量指令値を最終動作指令値としてクラッチアクチュエータに出力する。なお、指令値制限ラインと交差するクラッチトルク容量指令値、つまり、レバー操作量により算出されるクラッチトルク容量指令値を、最終動作指令値として出力してもよい。
【０１３７】
このように最終動作指令値を出力する処理は、クラッチレバー操作反映部３３２において第１クラッチアクチュエータ７７、第２クラッチアクチュエータ７８の双方に対して行う。
【０１３８】
なお、クラッチレバー操作反映部３３２は、クラッチレバー２００の操作に基づいて、第１クラッチ７４及び第２クラッチ７５におけるギア比を換算した後のトルク容量の合計或いは略合計を最終動作指令値として決定して出力している。
【０１３９】
また、クラッチレバー操作反映部３３２は、クラッチレバー２００の操作に基づいて、第１クラッチ７４及び第２クラッチ７５における、ギア比を換算した後のトルク容量の合計の最大値を最終動作指令値として決定し出力してもよい。
【０１４０】
図１０は、ギア比を換算した後における第１クラッチ７４及び第２クラッチ７５のトルク容量の合計の操作を説明するための図である。図１０は、クラッチレバーのレバー操作量と、クラッチトルク容量指令値生成部３２２によって自動で生成されるクラッチトルク容量指令値（図１０では「自動生成指令値」で示す）と、クラッチトルク容量の合計値との関係を示す図である。レバー操作量と自動生成指令値との関係は一例として線形の関係として示している。また、図１０におけるクラッチレバー操作量は、レバー本体２２０を完全に離して解放した状態を開度１００％、完全に握られた状態を開度０％とする。
【０１４１】
図１０に示す自動生成指令値は、ギア比の比率によって変更する傾きａにより仕切られた領域で図示される第１クラッチ７４のクラッチ容量と第２クラッチ７５のクラッチ容量の合計値に対応する。
【０１４２】
図１０に示すように、動作司令部３３０のクラッチレバー操作反映部３３２には、クラッチトルク容量指令値生成部３２２により生成される第１クラッチ７４及び第２クラッチ７５の合計トルク容量である自動生成指令値）が常時入力されている。自動生成指令値は、ギア比を換算した後、つまり、クランクシャフト６０上或いはドライブシャフト７３上に換算した際の第１クラッチ７４及び第２クラッチ７５のトルク容量の合計である。
【０１４３】
これらはセンサ群１５０から入力される情報に基づいて算出される。クラッチレバー操作反映部３３２では、クラッチレバー２００の操作が無い場合は、自動生成指令値が最終動作指令値としてクラッチアクチュエータに出力される。
【０１４４】
クラッチレバー２００が操作されるとレバー操作量検出部１３０からクラッチレバー２００の操作量が入力される。入力されるクラッチレバー２００の操作量情報の度合い（握り度合い）によって、指令値制限ライン（レバー操作量に対応して可変な、クラッチ容量指令値の最大値を示すライン）はＹ軸上を上下する。この指令値制限ラインが、自動生成指令値よりも低い場合、自動生成指令値の最大値となって、最終動作指令値として出力される。つまり、レバー操作量によってクラッチトルク容量を調整するクラッチトルク容量指令値の最大値を示す自動生成指令値の最大値を制限する。ここでは、クラッチトルク動作指令部３３４は、最大値（トルク容量の合計値の最大値）が制限された自動生成指令値を最終動作指令値としてクラッチアクチュエータに出力する。これにより、第１クラッチ７４及び第２クラッチ７５のトルク容量の合計の最大値を制限して、第１クラッチ７４及び第２クラッチ７５を制御する。これにより運転者にマニュアル操作、つまりＭＴで行う操作をさせることができる。
【０１４５】
以上より、例えば、変速指令値生成部３２０にモード切替用スイッチ１１０から「２ペダルモード」が入力されると、発進と停止時におけるクラッチ操作に用いられるクラッチトルク容量指令値は、変速指令値生成部３２０のクラッチトルク容量指令値生成部３２２に於いて生成され、動作指令部３３０へ出力される。
【０１４６】
また、変速指令値生成部３２０にモード切替用スイッチ１１０から「３ペダルモード」が入力されると、クラッチトルク容量指令値生成部３２２に於いて生成される指令値は「最大に繋ぐ」指令値のまま動作指令部３３０へ出力され、クラッチレバー２００の操作によってクラッチレバー操作反映部３３２に於いてカットオフされる。カットオフ後の指令値として、レバーの操作量に対応する指令値がクラッチ動作指令部３３４に入力される。クラッチ動作指令部３３４は、入力されるレバーの操作量に対応する指令値を、発進と停止時におけるクラッチ操作に用いられるクラッチトルク容量指令値の最終動作指令値として出力する。
【０１４７】
なお、シフトスイッチ１２０から入力される信号は、変速指令値生成部３２０では割り込み処理によって実行させている。このため、「２ペダルモード」、「３ペダルモード」の各モード中のいつ、どのようなタイミングであっても、シフトスイッチ１２０の操作によって、動作司令部３３０では、シフトスイッチ１２０によるギア段の指示に応じて、シフト機構１４０を介して変速動作を行うことができる。なお、変速指令値生成部３２０は、クラッチ切断、ギア段の掛け替え、クラッチ接続の順に行われる一連の変速動作中では、シフトスイッチ１２０の割り込み処理を受け付けない。
【０１４８】
このように、運転者がシフトスイッチ１２０のシフトアップボタンまたはシフトダウンボタンを押下することによって、そのことを示す信号（以下、シフト信号と称する）がシフトスイッチ１２０から制御部３００へ出力される。制御部３００は、入力されるシフト信号に基づいて、第１および第２クラッチアクチュエータ７７，７８ならびにモータ１４５を制御する。この制御によって、第１および第２クラッチ７４，７５のいずれか一方、またはクラッチ７４、７５の両方が適宜切断されるとともにシフトカム１４が回転し、変速機１６０（詳細には、変速機構７０）はギアシフトを行う。
【０１４９】
本実施の形態では、シフトアップボタンが運転者に押下されることによって、変速機１６０ではシフトアップ動作が実行され、シフトダウンボタンが運転者に押下されることによって、変速機１６０ではシフトダウン動作が実行される。
【０１５０】
図１１は、制御部におけるモード遷移の処理の説明に供する図である。なお、図１１では、要部となる処理にステップ番号を付けて説明し、その他の処理についてのステップ番号は省略している。なお、制御部３００は、図１１の処理を電源投入から切れるまでくり返し行う。
【０１５１】
ステップＳ１では、変速指令値生成部３２０は、モード切替用スイッチ１１０によって選択されたモードが「２ペダルモード」であるか「３ペダルモード」であるかを判定する。「２ペダルモード」であれば、ステップＳ２に移行する。
【０１５２】
ステップＳ２では、変速指令値生成部３２０は、運転状態が発進あるいは停止の場面か、変速の場面かを判定する。判定が発進あるいは停止の場面であれば自動発進あるいは自動停止の指令値を生成するステップＳ４へ移行し、発進あるいは停止の場面でなければ、シフトスイッチ１２０からシフト信号の入力があるか否かを判定する、ステップＳ３へ移行する。
【０１５３】
ステップＳ４では、変速指令値生成部３２０は、発進時及び停止時において第１クラッチアクチュエータ７７、第２クラッチアクチュエータ７８に出力するクラッチトルク容量指令値として、クラッチトルク容量指令値生成部３２２からのクラッチトルク容量指令値を出力する。すなわち、動作司令部３３０は、クラッチレバー２００の操作が無ければ、クラッチトルク容量指令値生成部３２２からのクラッチトルク容量指令値をカットオフせずに第１クラッチアクチュエータ７７、第２クラッチアクチュエータ７８に出力するモード（「ＡＴモード」）によって制御する。
【０１５４】
ステップＳ３では、２ペダルモードにおいて、シフトスイッチ１２０の操作があるか、つまり、シフトスイッチ１２０からシフト信号の入力があるか否かを判定する。ステップＳ３において、シフト信号の入力がなければ、ステップＳ５へ移行してＡＴモードによる変速制御を続け、シフト信号の入力があれば、ステップＳ８に移行してＡＭＴモードにより変速制御する。
【０１５５】
ステップＳ５では、変速指令値生成部３２０は、変速時において第１クラッチアクチュエータ７７、第２クラッチアクチュエータ７８に出力するクラッチトルク容量指令値として、クラッチトルク容量指令値生成部３２２からのクラッチトルク容量指令値を出力する。すなわち、動作司令部３３０は、クラッチレバー２００の操作が無ければ、クラッチトルク容量指令値生成部３２２からのクラッチトルク容量指令値をカットオフせずに第１クラッチアクチュエータ７７、第２クラッチアクチュエータ７８に出力するモード（「ＡＴモード」）によって制御する。なお、このときギア段指令部３２４から出力されるギア段指令値は、シフトスイッチ１２０からの割り込みがなければ、変速指令値生成部３２０の内部で生成されギア段指令部３２４から出力されるギア段へのギアシフトであり、クラッチトルク容量指令部３２２から出力されるクラッチトルク容量指令値と協調する。
【０１５６】
ステップＳ８では、制御部３００は、シフトスイッチ１２０のシフト信号により指示されるギア段にギア段を切り換える所謂ＡＭＴモードによる変速を行う。つまり、ステップＳ８では、変速指令値生成部３２０のギア段指令部３２６は、変速指令値生成部３２０の内部で生成されるギア段に替えて、シフトスイッチ１２０から入力されるギア段をギア段指令値として出力し、シフト動作司令部３３６を介してモータ１４５に出力して、シフト機構１４０を駆動する。
【０１５７】
一方、ステップＳ１において、変速指令値生成部３２０が、モード切替用スイッチ１１０により選択されたモードが「３ペダルモード」であると判定すると、ステップＳ６に移行する。
【０１５８】
ステップＳ６では、変速指令値生成部３２０は、運転状態が発進あるいは停止の場面か、変速の場面かを判定する。判定が発進あるいは停止の場面であれば手動発進あるいは手動停止の指令値を生成するステップＳ７へ移行し、発進あるいは停止の場面でなければ、シフトスイッチ１２０からシフト信号の入力に基づく変速の指令値を生成するステップＳ８へ移行する。
【０１５９】
ステップＳ７では、制御部３００はＡＴモードにおいて、自動で発進と停止時のクラッチ操作を行うために生成していたクラッチトルク容量指令値に替えて、クラッチレバー２００からの情報に応じて行うためのクラッチトルク容量指令値を生成する。
【０１６０】
つまり、ステップＳ７では、制御部３００は、ＭＴモード及びセミＭＴモードにおいて発進と停止時に運転者がクラッチレバー２００を操作してクラッチのトルク容量を調整するモードで制御する。
【０１６１】
さらにステップＳ１０において、制御部３００は、クラッチレバー２００が使用されたか否かを判定し、使用されていなければ、「セミＭＴモード」のまま変速機１６０を制御し、使用されていれば「ＭＴモード」として変速機１６０を制御する。
【０１６２】
具体的には、ステップＳ１０では、制御部３００の動作司令部３３０は、クラッチトルク容量指令値生成部３２２から走行状態に応じて出力されるクラッチトルク容量指令値を、クラッチレバー２００のレバー操作量検出部１３０から入力されるレバー操作量に応じて、クラッチレバー操作反映部３３２に於いて制限（カットオフ）する。そして、制限（カットオフ）されたクラッチトルク容量指令値（クラッチレバー２００の操作を反映したクラッチトルク容量指令値）をクラッチ動作指令部３３４に出力する。クラッチ動作指令部３３４は、レバー操作反映部３３２から入力されるクラッチレバー２００の操作を反映したクラッチトルク容量指令値を最終クラッチトルク容量指令値として第１クラッチアクチュエータ７７及び第２クラッチアクチュエータ７８に出力する。これにより、第１クラッチ７４及び第２クラッチ７５は、運転者のクラッチレバー２００の操作によって、クラッチトルク容量が調整される。よって、クラッチ動作指令部３３４はドライブシャフト７３から出力される駆動力を調整できる。
【０１６３】
なお、「ＭＴモード」、「セミＭＴモード」、「ＡＭＴモード」に於いては、運転者が誤ってシフトスイッチを操作したときに特定のギア段へシフトチェンジされるのを防止するために、クラッチレバーが閾値以上に操作されていることを条件とすることが出来る。
【０１６４】
具体的には、ステップＳ９でクラッチレバーの操作量が閾値を超えているか否かを判定し、超えていれば、特定のギア段へのシフトチェンジをインタロック（禁止）せず、超えていなければ特定のギア段へのシフトチェンジをインタロック（禁止）する。
【０１６５】
なお、変速指令値生成部３２０では、ギア段指令部３２４は、シフトスイッチ１２０により入力されるシフト信号を、内部で生成するシフト段指令より優先させることで、シフト動作司令部３３６へギア段指令値として出力させている。このため、クラッチレバーの操作量が閾値を超えていることを条件とする特定のギア段へのシフトチェンジを除いて、「２ペダルモード」及び「３ペダルモード」、あるいはＡＴモード、ＡＭＴモード、セミＭＴモード、ＭＴモードのいずれのモード中でもシフトスイッチ１２０による変速動作は可能である。
【０１６６】
また、制御部３００は、ステップＳ１に於けるモード切替用スイッチ１１０によって選択されたモードが「２ペダルモード」であるか「３ペダルモード」であるかの判定結果と、ステップＳ３に於けるシフトスイッチ１２０からシフト信号の入力があるか否かの判定結果と、ステップＳ１０の下流にあってステップＳ１１に相当するクラッチレバー２００の操作の有無を判定するステップＳ１２の判定結果と、に応じて、「ＭＴモード」、「セミＭＴモード」、「ＡＭＴモード」、「ＡＴモード」の各モードの遷移を判定し、計器板にモードを表示することによって運転者に現在の運転状態を知らせる。
【０１６７】
図１２は、本実施の形態に係る変速装置の各運転モードを示す図である。なお、図１２中、「●」は、「運転者の操作」を意味し、「●／時間」は、所定時間内で運転者が操作できることを意味している。また、「◎」、「○」、「△」は、各項目の対応度を意味する。
【０１６８】
図１２に示すように、「２ペダルモード」（ＡＴモード、ＡＭＴモード）及び「３ペダルモード」（セミＭＴモード、ＭＴモード）では、以下のように遷移する。
【０１６９】
「２ペダルモード」
＜基本状態＞
・発進については、「２ペダルモード」中に運転者によってシフトスイッチ１２０のシフトボタンが押されて「Ｎ→１速（図中「Ｎ→１」でしめす）」が指示されると、変速装置は、クラッチを切ってギア段をＮ→１速へ切り替えて待機する。アクセルが開かれると、つまり、制御部３００が検出するアクセル開度に基づいて、変速装置は、クラッチを繋ぐ操作を行って発進する。
【０１７０】
・変速については、運転者によるクラッチレバー２００とシフトボタンの操作は不要で、制御部３００は、自動的にシフト段を選択し、変速する。
【０１７１】
・停止については、変速装置は、車速が低下すると自動的にシフトダウンを行い、停車以前に１速ギア段への変速を完了する。車速が低下すると、変速装置は、自動的にクラッチを切るように操作して停車させる。ギア段は１速の状態を維持する。この状態において、運転者の操作によってシフトボタンで「１→Ｎ」が指示されると、変速装置は、ギア段を「１→Ｎ」に切り替えた後、クラッチを繋ぐ。
【０１７２】
＜基本状態への割り込み操作＞
・２ペダルモード（いわゆるＡＴモード）状態において、シフトボタンが押され（ＡＭＴモード）、有る条件を満たすと２ペダルへ戻る。
【０１７３】
・２ペダルモードにおいて、運転者がクラッチレバーを握ると、シフト段は変わらずクラッチが切られ、クラッチレバーを戻すと、シフト段は変わらずクラッチが繋がる。これにより、元の２ペダルモード（ＡＴモード）へ戻る。
【０１７４】
・２ペダルモード（ＡＴモード）中において運転者がクラッチレバー２００を握ると、シフト段は変わらずクラッチが切れる。次いで、運転者によりシフトボタンが押されると、クラッチは切れたままシフト段が変わる。この後、運転者がクラッチレバー２００を戻すことによって、変わった後のシフト段にクラッチが繋がる。この状態において、或る条件を満たすと２ペダルへ戻る。
【０１７５】
「３ペダルモード」
＜基本状態＞
・発進については、Ｎ（ニュートラル）の状態から運転者がクラッチレバー２００とシフトボタンでＮ→１速を操作し、クラッチレバー２００を戻すことによってクラッチを繋いで発進する。
【０１７６】
・変速については、運転者が、シフトボタンのＵＰまたはＤｏｗｎを押して変速先シフト段を指示すると、変速装置は、クラッチ操作とシフト段の切り替えを自動で処理する。
【０１７７】
・停止については、運転者がクラッチレバー２００を握ることによって、クラッチが切断され、停車する。
【０１７８】
＜基本状態への割り込み操作＞
・３ペダルモード（変速時のクラッチ操作を自動で処理するモード：セミＭＴモード）において、運転者がクラッチレバー２００を握ると、シフト段は変わらずクラッチが切断される。この後、クラッチレバーを戻すことで、シフト段は変わらずクラッチが繋がり、元の３ペダルモードへ戻る。
【０１７９】
・３ペダルモードにおいて、運転者がクラッチレバー２００を握ると、シフト段は変わらずクラッチが切れる。この後、シフトボタンを押すことによって、クラッチは切れたままシフト段が変わる。次いで、クラッチレバー２００を戻すと、変わった後のシフト段にクラッチが繋がって、元の３ペダルモードに戻る。
【０１８０】
図１２に示すように、「３ペダルモード」（ＭＴモード、セミＭＴモード）では、発進する条件として、シフト操作及びアクセル操作に加えてクラッチ操作が加わる。よって、「３ペダルモード」では、発進する際に、運転者はシフトボタン操作、アクセル操作、クラッチレバー２００操作の３つの操作が必要となる。これにより、ＡＭＴモード、ＡＴモード、ＣＶＴモードと比較して、誤発進排除性の向上を図ることができる。
【０１８１】
加えて、バイワイヤ式クラッチレバー２００によって第１クラッチ７４及び第２クラッチ７５の係合状態（クラッチトルク容量）を操作できることによって、発進時に加速する際の自由度の向上を図ることができる。
【０１８２】
変速装置１００では、制御部３００では、クラッチレバー２００の操作量に閾値を設定して、ギア段によっては、クラッチレバー２００を握ることなく変速できないように、「３ペダルモード」中において、シフト切替動作をインタロックする。
【０１８３】
ここでは、「３ペダルモード」において、Ｎから１速にギア段を上げるとき、１速からＮにギア段を下げるとき、２速から１速にギア段を下げるとき、それぞれクラッチレバー２００の所定の握りを必要とする。所定の握りは、レバー操作量であるレバーの開度に対応するクラッチトルク容量指令値が規定値以上で判断する。
【０１８４】
これにより、制御部３００は、「３ペダルモード」において、発進時にクラッチを握り忘れたまま、Ｎから１速にギアが入って走行することを防止する。
【０１８５】
また、走行中に意識外で１速からＮになることを防止でき、さらに、走行中に２速からギア比が離れている１速に意識外でシフトダウンすることを防止する。
【０１８６】
制御部３００（詳細にはクラッチレバー操作反映部３３２）は、電源投入後、クラッチレバー２００の操作量に、出力されるクラッチトルク容量指令値を対応させるため、レバー操作量検出部１３０から入力される信号レンジを学習する。
【０１８７】
すなわち、クラッチレバー操作反映部３３２は、レバーの開閉動作に伴って、レバー操作量検出部１３０からレバー操作量として出力される信号レンジを用いて、クラッチレバー２００の操作範囲の学習、つまり、レバーの握り位置、開放位置を学習し、最終クラッチトルク容量指令値に反映させる。
【０１８８】
なお、「３ペダルモード」において、制御部３００に、レバー操作量検出部１３０からの信号の入力がなく、クラッチレバー操作反映部３３２を介して制御部３００がレバー操作量検出部１３０の故障と判定した場合、「２ペダルモード」に移行する。これによりレバーフェイル時に機能を低下させることなく走行を継続できる。なお、制御部３００におけるレバー操作量検出部１３０の故障の判定は、レバー操作量検出部（所謂ポテンショメータ）１３０との電気的な接続状態から判定する。
【０１８９】
図１３は、制御部によるクラッチレバーの操作レンジの学習を説明するための図である。
【０１９０】
図１３では、横軸を、クラッチレバー２００の開閉範囲に対応させる最終クラッチトルク容量指令値０Ｖ〜５Ｖを示している。
【０１９１】
学習開始位置は、学習レバー稼動範囲の中心位置（学習開始点）であり、この位置を挟んで予め上限stepと下限stepとが設定される。クラッチレバー操作反映部３３２は、中心位置から学習を開始し、クラッチレバー２００が握られることによって学習上限操作範囲において予め設定された上限stepを越えた地点から学習を始め、レバーが実レバー稼動範囲の上限に至ると、学習を終了する。握られたレバーを開放することによって、同様に下限を学習できる。このように特定のstep単位でレバー稼動範囲を学習しているため、１回のクラッチレバー２００の握りによって完全握り位置を学習できる。なお、図１３に示す学習上限余裕、学習下限余裕領域は、学習進み具合によって０％に戻らない開度、或いは１００％に到達しない開度、になることを防ぐものである。
【０１９２】
変速装置を備える車両では、走り始める際に、Ｎから１速に上げるために、確実に１回はクラッチレバー２００を握る。その１回のクラッチレバー２００の握りによって操作レンジを学習でき、次に運転者がクラッチレバー２００を用いてクラッチ操作を行う際に好適な位置でクラッチアクチュエータを動作させることができる。
【０１９３】
図１４は、クラッチレバー操作範囲の学習を説明するためのフローチャートである。なお、クラッチレバー２００の稼動範囲を学習する際において現在レバー位置より＋を下限学習側、−を上限学習側とする。
【０１９４】
図１４に示すように、まず、電源が投入されることによって制御部３００（クラッチレバー操作反映部３３２）は、上限step及び下限stepを設定して、下記条件を満たすことによって学習値をstep分進めていく。つまり、クラッチレバー２００の位置が学習上下限以内である（ステップＳ３１）、クラッチレバー２００のレバー位置の前回比が規定値以内である（ステップＳ３２）、学習余裕込みレバー位置（現在レバー位置±学習余裕）が現在の学習値よりstep値以上進んでいる（ステップＳ３３）、これら（ステップＳ３１からステップＳ３３）の条件が規定時間継続したか（ステップＳ３５）を満たして学習値をstep分進めていく。
【０１９５】
本実施の形態では、ＤＣＴであっても、クラッチレバー２００を操作することによって、変速時における駆動力の復帰の仕方を調整できる。例えば、子供、老人が同乗している場合、変速時においてクラッチを再び繋ぐ際に、ゆっくりとトルク容量を増加させて、出力される駆動力を徐々に増加させることができる。これにより同乗者に快適な乗車感を付与できる。また、ギア段の切り換えを伴うことなく駆動力を調整できる。例えば、変速装置を搭載した車両が、渋滞中或いは歩行者と併走する場合において、ギア段の切り換えを行わずに半クラッチ状態で走行することができる。
【０１９６】
更に、発進時の駆動力を調整できる。例えば、アクセルを踏むことによってエンジンの回転数を先に上げておいた後でクラッチを繋ぐことで急発進できる。
【０１９７】
また、ウイリーした場合に運転者はとっさにクラッチを切ることができ、ウイリー走行の持続を防止できる。
【０１９８】
なお、本実施の形態では、運転者の操作によるギア段の切り換えを、シフトスイッチ１２０で行う構成としたが、運転者がギア段の切替操作を行うことができれば、これに限らず、シフトペダル、シフトレバー、シフトパドルなどによって行うようにしてもよい。また、モード切替スイッチ１１０も同様に、運転者がモードを切り換える操作を行えるものであれば、どのように構成されてもよく、モード切替用レバー、モード切替用ペダル、モード切替用パドル、モード切替用ボタンなどでもよい。
【０１９９】
また、本実施の形態では、変速装置１００は、複数のクラッチをバイワイヤ式クラッチレバー２００によって操作するようにしたが、これに限らずシングルクラッチであってもよい。
【０２００】
なお、上記本発明は、本発明の精神を逸脱しない限り、種々の改変をなすことができ、そして本発明が該改変させたものに及ぶことは当然である。
【産業上の利用可能性】
【０２０１】
本発明に係る変速装置は、ＡＴ方式或いはＡＭＴ方式等、クラッチ操作が自動制御される変速装置において、運転者がクラッチをマニュアル操作して駆動力を調整でき、ドライバビリティの向上を図ることができる効果を有し、クラッチ操作が自動制御される変速装置として有用である。
【符号の説明】
【０２０２】
１０  自動二輪車
７０  変速機構
７４  第１クラッチ
７５  第２クラッチ
７７  第１クラッチアクチュエータ
７８  第２クラッチアクチュエータ
１００  変速装置
１１０  モード切替用スイッチ
１２０  シフトスイッチ
１３０  レバー操作量検出部
１４０  シフト機構
１５０  センサ群
１６０  変速機
２００  クラッチレバー
２３５  第１コイルバネ
２３６  第２コイルバネ
２３８  第３コイルバネ
３００  制御部
３２０  変速指令値生成部
３２２  クラッチトルク容量指令値生成部
３２４  ギア段指令部
３３２  クラッチレバー操作反映部
３３４  クラッチ動作指令部
３３６  シフト動作指令部
【図１】
0005639142.tif 000002
【図２】
0005639142.tif 000003
【図３】
0005639142.tif 000004
【図４】
0005639142.tif 000005
【図５】
0005639142.tif 000006
【図６】
0005639142.tif 000007
【図７】
0005639142.tif 000008
【図８】
0005639142.tif 000009
【図９】
0005639142.tif 000010
【図１０】
0005639142.tif 000011
【図１１】
0005639142.tif 000012
【図１２】
0005639142.tif 000013
【図１３】
0005639142.tif 000014
【図１４】
0005639142.tif 000015